(57)【特許請求の範囲】
【請求項１】
一主面に各々が傾斜面と垂直面とからなる複数の溝が設けられた基材と、前記複数の溝の各々の壁面のうち前記傾斜面のみを被覆した不透明又は有色透明な被覆層とを備え、
前記複数の溝は、前記傾斜面の傾斜方向が互いに等しい複数の第１溝と、前記傾斜面の傾斜方向が互いに等しく且つ前記複数の第１溝の前記傾斜面の前記傾斜方向とは前記主面に垂直な軸に対して回転対称の関係にある複数の第２溝とを含み、
前記主面は、前記複数の第１溝が配列してなる第１凹凸領域と、前記複数の第２溝が配列してなる第２凹凸領域とを含むことを特徴とする表示体。
【請求項２】
基材の一主面上に不透明又は有色透明な被覆層を形成し、次いで、エンボス加工を施すことにより前記主面に複数の溝を設けると共にそれら溝の位置で前記被覆層を破断させることにより得られる構造を備えたことを特徴とする請求項１に記載の表示体。
【請求項３】
前記被覆層は光吸収層であることを特徴とする請求項１又は２に記載の表示体。
【請求項４】
前記被覆層は光反射層であることを特徴とする請求項１又は２に記載の表示体。
【請求項５】
前記被覆層は光散乱層であることを特徴とする請求項１又は２に記載の表示体。
【請求項６】
前記基材は透明であり、前記基材の前記被覆層が形成された主面とは反対側の主面上に前記被覆層とは色相、明度及び／又は彩度が異なる光吸収層を更に備えたことを特徴とする請求項１乃至５の何れか１項に記載の表示体。
【請求項７】
前記基材は透明であり、前記基材の前記被覆層が形成された主面とは反対側の主面上に前記被覆層とは色相、明度及び／又は彩度が異なる光反射層を更に備えたことを特徴とする請求項１乃至５の何れか１項に記載の表示体。
【請求項８】
前記基材は透明であり、前記基材の前記被覆層が形成された主面とは反対側の主面上に前記被覆層とは色相、明度及び／又は彩度が異なる光散乱層を更に備えたことを特徴とする請求項１乃至５の何れか１項に記載の表示体。
【請求項９】
前記基材に対して前記被覆層とは反対側に最表層としての粘着層を更に備えたことを特徴とする請求項１乃至８の何れか１項に記載の表示体。
【請求項１０】
前記被覆層を被覆する最表層としての保護層を更に備えたことを特徴とする請求項１乃至９の何れか１項に記載の表示体。
【請求項１１】
請求項１乃至１０の何れか１項に記載の表示体とこれを支持した物品とを具備したことを特徴とするラベル付き物品。
【発明の詳細な説明】
【技術分野】
【０００１】
本発明は、偽造防止技術に関する。
【背景技術】
【０００２】
キャッシュカード、クレジットカード及びパスポートなどの認証物品並びに商品券及び株券などの有価証券には、偽造が困難であることが望まれる。そのため、従来から、そのような物品には、偽造又は模造が困難であると共に偽造品や模造品との区別が容易なラベルが貼り付けられている。
【０００３】
また、近年では、認証物品及び有価証券以外の物品についても、偽造品の流通が問題視されている。そのため、このような物品に、認証物品及び有価証券に関して上述した偽造防止技術を適用する機会が増えている。
【０００４】
この偽造防止技術の代表例として、観察する角度に応じて反射光の色変化、即ちカラーシフトを生じるカラーシフト媒体の使用が挙げられる。例えば、特許文献１には、カラーシフトを生じる顔料及びそれを用いた印刷物が記載されている。
【特許文献１】特表２００２−５２３６０６号公報
【発明の開示】
【発明が解決しようとする課題】
【０００５】
しかしながら、このような媒体は、通常の印刷層等とは異なる光沢及び／又は色彩等を呈するため、偽造防止用であることが比較的悟られやすい。
【０００６】
そこで、本発明は、偽造防止用であることが比較的悟られ難く且つ高い偽造防止効果を有している偽造防止媒体を提供することを目的とする。
【課題を解決するための手段】
【０００７】
本発明の第１側面によると、一主面に各々が傾斜面と垂直面とからなる複数の溝が設けられた基材と、前記複数の溝の各々の壁面のうち前記傾斜面のみを被覆した不透明又は有色透明な被覆層とを備え、前記複数の溝は、前記傾斜面の傾斜方向が互いに等しい複数の第１溝と、前記傾斜面の傾斜方向が互いに等しく且つ前記複数の第１溝の前記傾斜面の前記傾斜方向とは前記主面に垂直な軸に対して回転対称の関係にある複数の第２溝とを含み、前記主面は、前記複数の第１溝が配列してなる第１凹凸領域と、前記複数の第２溝が配列してなる第２凹凸領域とを含むことを特徴とする表示体が提供される。
【０００８】
本発明の第２側面によると、基材の一主面上に不透明又は有色透明な被覆層を形成し、次いで、エンボス加工を施すことにより前記主面に複数の溝を設けると共にそれら溝の位置で前記被覆層を破断させることにより得られる構造を備えたことを特徴とする表示体が提供される。
【０００９】
本発明の第３側面によると、第１又は第２側面に係る表示体とこれを支持した物品とを具備したことを特徴とするラベル付き物品が提供される。
【発明の効果】
【００１０】
本発明によると、偽造防止用であることが比較的悟られ難く且つ高い偽造防止効果を有している偽造防止媒体を提供することが可能となる。
【発明を実施するための最良の形態】
【００１１】
以下、本発明の態様について、図面を参照しながら詳細に説明する。なお、各図において、同様又は類似した機能を発揮する構成要素には同一の参照符号を付し、重複する説明は省略する。
【００１２】
図１は、本発明の態様の一例に係る表示体を概略的に示す平面図である。図２は、図１に示す表示体のＩＩ−ＩＩ線に沿った断面図である。なお、このＩＩ−ＩＩ線は、図１に示すＸ方向と平行である。
【００１３】
表示体１０は、一方の主面に複数の溝１３０が設けられた基材２０を含んでいる。基材２０の溝１３０が設けられた主面上には、被覆層３０が形成されている。基材２０の溝１３０が設けられた面とは反対側の主面上には、粘着層４０が設けられている。
【００１４】
基材２０は、不透明であってもよく、透明であってもよい。不透明な基材２０としては、例えば、アート紙、コート紙若しくは上質紙等の洋紙、コートボール、コートマニラ若しくは両面カード等の板紙、特殊証券用紙、白色ポリエチレンテレフタレート又は白色塩化ビニルシートを使用することができる。透明な基材２０としては、例えば、ポリエチレンテレフタレート（ＰＥＴ）、トリアセチルセルロース（ＴＡＣ）、ポリエチレンナフタレート（ＰＥＮ）、ポリカーボネート（ＰＣ）、ポリエチレン（ＰＥ）又はポリプロピレン（ＰＰ）を使用することができる。基材２０は、単層構造を有していてもよく、多層構造を有していてもよい。
【００１５】
被覆層３０は、不透明又は有色透明であり、例えば、光吸収層、光反射層又は光散乱層である。
【００１６】
光吸収層としては、遮光性の光吸収層又は有色透明な光吸収層を使用することができる。遮光性の光吸収層の材料としては、例えば、カーボンブラック又はフタロシアニン等の無機又は有機顔料を樹脂中に分散させた着色インキを使用することができる。有色透明な光吸収層の材料としては、例えば、有色透明なプロセスインキを使用することができる。光吸収層は、例えば、グラビア印刷法、オフセット印刷法若しくはスクリーン印刷法等の印刷法、又は、バーコート法、グラビア法若しくはロールコート法等の塗布法により形成する。
【００１７】
光反射層の材料としては、例えば、アルミニウム、金又は銅等の金属を使用することができる。この場合、光反射層は、例えば、真空蒸着法等の蒸着法により形成する。また、光反射層の材料として、例えば、アルミフレーク等を樹脂に分散させたものを使用してもよい。この場合、光反射層は、例えば、バーコート法、グラビア法若しくはロールコート法等の塗布法により形成する。
【００１８】
また、光反射層は、パール顔料を含んでいてもよい。パール顔料としては、例えば、燐片状の雲母に無機酸化物を蒸着したものを使用することができる。この場合、光反射層は、蒸着させた無機酸化物の膜厚に応じて特定の波長の照明光を透過させ、それ以外の波長の照明光を反射する。なお、このとき、基材２０と光反射層との間に光吸収層を更に設けてもよい。これにより、パール顔料を含んだ光反射層からの反射光をより明瞭に視認できるようになる。
【００１９】
光散乱層の材料としては、例えば、酸化チタン等を樹脂に分散させた白色インキを使用することができる。光散乱層は、例えば、基材２０の表面にサンドブラスト等により凹凸処理を施した後、アルミニウム等の光反射性材料を蒸着等することにより形成してもよい。
【００２０】
なお、被覆層３０は、単層構造を有していてもよく、多層構造を有していてもよい。例えば、被覆層３０は、光反射層と有色透明な光吸収層との積層体であってもよい。この場合、被覆層３０は、着色性の光反射層として機能する。
【００２１】
基材２０が透明である場合には、被覆層３０とは異なる色相、明度及び／又は彩度を有している光吸収層、光反射層及び／又は光散乱層を、基材２０の被覆層３０が形成された面とは反対側の主面上、即ち、基材２０と粘着層４０との間に更に設けてもよい。この場合、表示体１０を、溝１３０の基材２０が露出した壁面から観察すると、上記の光吸収層、光反射層及び／又は光散乱層を視認することが可能となる。
【００２２】
粘着層４０は、表示体１０を真正さが確認されるべき物品に支持させる際に、表示体１０とその物品とを接着させる機能を有している。粘着層４０は、例えば、塩化ビニル−酢酸ビニル共重合体、又は、ポリエステル系、ポリアミド系、アクリル系、ブチルゴム系、天然ゴム系、シリコン系若しくはポリイソブチル系接着剤を含んでいる。この粘着層４０は、アルキルメタクリレート、ビニルエステル、アクリロニトリル、スチレン若しくはビニルモノマー等の凝集成分、不飽和カルボン酸、ヒドロキシ基含有モノマー若しくはアクリロニトリル等の改質成分、重合開始剤、可塑剤、硬化剤、硬化促進剤又は酸化防止剤等を更に含んでいてもよい。この粘着層４０は、例えば、グラビア印刷法、オフセット印刷法又はスクリーン印刷法により形成することができる。
【００２３】
なお、表示体１０から粘着層４０を省略してもよい。この場合、表示体１０は、真正さが確認されるべき物品に、他の方法で支持させる。
【００２４】
表示体１０は、平坦領域１１０と、凹凸領域１２０とからなる。
【００２５】
平坦領域１１０は、平坦面１１１を有している。この平坦面１１１は、被覆層３０からなる。
【００２６】
凹凸領域１２０は、溝１３０を有している。溝１３０の長さ方向は、図１に示すＹ方向と平行である。溝１３０は、典型的には、それらの長さ方向と交差する方向に連続して設けられている。
【００２７】
溝１３０は、例えば、高さ方向がＺ方向に対して垂直な直角三角柱状である。各溝１３０は、基材２０の主面に対して傾斜した傾斜面１３１と、基材２０の主面に対して略垂直な垂直面１３２とを有している。以下、この傾斜面１３１の基材２０の主面に対する傾斜角を、θ（０゜＜θ＜９０゜）とする。
【００２８】
傾斜面１３１は、平坦領域１１０の平坦面１１１と同様に、被覆層３０からなる。一方、垂直面１３２は、被覆層３０によって被覆されておらず、露出した基材２０からなる。
【００２９】
表示体１０の溝１３０が設けられた面を傾斜面１３１の正面方向から観察した場合には、被覆層３０からなる傾斜面１３１は、基材２０からなる垂直面１３２と比較して視認が容易である。一方、表示体１０の溝１３０が設けられた面を傾斜面１３１と平行な方向から観察した場合には、基材２０からなる垂直面１３２は、被覆層３０からなる傾斜面１３１と比較して視認が容易である。
【００３０】
したがって、表示体１０の領域１１０及び１２０は、以下に述べるように、異なる色変化を生じる。
【００３１】
図３は、観察角度の変化に伴って図１及び図２に示す表示体１０の各領域が生じる色変化の一例を示す概略図である。
【００３２】
図３Ａは、表示体１０を平坦面１１１の正面方向、即ち垂直面１３２に平行な方向（図２に示す観察方向２Ａ）から観察した場合に、表示体１０が呈する色の一例を示している。この場合、凹凸領域１２０のうち、被覆層３０からなる傾斜面１３１は視認可能であるが、垂直面１３２は視認不可能又は困難である。
【００３３】
このとき、平坦領域１１０は、被覆層３０の色（例えば、青色）を呈する。また、凹凸領域１２０も、被覆層３０の色（例えば、青色）を呈する。したがって、図３Ａに例示するように、平坦領域１１０及び凹凸領域１２０は、同一の色を呈する。すなわち、表示体１０を正面から観察しただけでは、表示体１０が複数の領域からなることは視認されない。
【００３４】
図３Ｂは、表示体１０を傾斜面１３１の正面方向（図２に示す観察方向２Ｂ）から観察した場合に、表示体１０が呈する色の一例を示している。この場合、凹凸領域１２０のうち、被覆層３０からなる傾斜面１３１は視認可能であるが、垂直面１３２は視認不可能又は困難である。
【００３５】
このとき、平坦領域１１０は、被覆層３０の色（例えば、青色）を呈する。また、凹凸領域１２０も、被覆層３０の色（例えば、青色）を呈する。したがって、図３Ｂに例示するように、平坦領域１１０及び凹凸領域１２０は、同一の色を呈する。すなわち、この場合にも、表示体１０が複数の領域からなることは視認されない。
【００３６】
図３Ｃは、表示体１０を傾斜面１３１に平行な方向（図２に示す観察方向２Ｃ）から観察した場合に、表示体１０が呈する色の一例を示している。この場合、凹凸領域１２０のうち、基材２０からなる垂直面１３２は視認可能であるが、傾斜面１３１は視認不可能又は困難である。
【００３７】
このとき、平坦領域１１０は、被覆層３０の色（例えば、青色）を呈する。一方、凹凸領域１２０は、基材２０の色（例えば、白色）を呈するか、又は、基材２０が透明であり且つ基材２０の被覆層３０が形成された主面とは反対側の主面上に光吸収層、光反射層又は光散乱層を更に備えた場合には、その層の色（例えば、黒色）を呈する。したがって、図３Ｃに例示するように、平坦領域１１０及び凹凸領域１２０は、互い異なる色を呈する。すなわち、この場合には、表示体１０が複数の領域からなることが視認される。
【００３８】
上で説明したように、この表示体１０は、特定の観察方向から観察しない限り複数の領域からなることが視認されず、通常の印刷層等と同様に見える。したがって、表示体１０を印刷物等の物品に支持させた場合、表示体１０の凹凸領域１２０と表示体１０の平坦領域１１０及び他の印刷層との識別は、表示体１０が上述の視覚効果を有していることを知らない者にとっては、比較的困難である。すなわち、この物品が偽造防止媒体としての表示体１０を含んでいることは、比較的悟られ難い。
【００３９】
また、上記の傾斜角θを変化させることにより、平坦領域１１０と凹凸領域１２０との識別が可能となる観察角度を変化させることができる。これにより、偽造防止媒体の存在の悟られ難さと真正品の確認の容易さとの衡平を図ることが可能となる。
【００４０】
基材２０が透明である場合、基材２０の被覆層３０を形成した側とは反対側の主面に、文字又は図柄等の情報を表示する印刷層を設けてもよい。この場合、凹凸領域１２０の垂直面１３２を通して、これらの情報を視認することが可能となる。したがって、表示体１０の偽造防止効果を更に向上させることができる。
【００４１】
ここで、溝１３０の深さ、即ち垂直面１３２の高さは、例えば、被覆層３０の厚さの約２倍以上とする。溝１３０の深さが小さい場合、垂直面１３２において基材２０を露出させることができず、十分な偽造防止効果が発揮できない可能性がある。
【００４２】
また、上では溝１３０が直角三角柱状である場合について説明したが、溝１３０の形状は、凹凸領域１２０が、被覆層３０によって被覆された面と、被覆層３０によって被覆されておらず、基材２０が露出した面とを有している限り、任意の形状でありうる。例えば、溝１３０は、直角三角柱状以外の三角柱状であってもよく、その他の多角柱状であってもよい。また、表示体１０には、溝１３０の代わりに、溝以外の凹部を設けてもよい。例えば、円錐及び四角錘などの錘状の凹部を設けてもよく、切頭円柱及び切頭四角柱などの切頭柱状の凹部を設けてもよい。
【００４３】
なお、表示体１０は、被覆層３０を被覆する最表層としての保護層を更に備えていてもよい。保護層は、表示体１０の損傷及び／又は光による劣化を軽減すると共に、偽造者による型取り等を抑止する機能を有している。
【００４４】
保護層としては、例えば、ポリエステル又はアクリル等の樹脂を使用することができる。保護層は、例えば、紫外線吸収剤、又はポリエチレンワックス等の滑剤を更に含んでいてもよい。この保護層は、例えば、グラビア印刷法、オフセット印刷法又はスクリーン印刷法により形成する。なお、塗布に際して、レベリング剤又は消泡剤等を更に添加してもよい。
【００４５】
この表示体１０は、例えば、以下のようにして製造する。
【００４６】
まず、基材２０の一方の主面上に、被覆層３０を形成する。次に、その被覆層３０側の面に、例えば三角波状の断面形状を有する波形の凸部が設けられたエンボス板を押し当てて、エンボス板の凸部に対応した凹部を生じさせると共に、被覆層３０を破断させる。具体的には、エンボス処理により、基材２０が被覆層３０によって被覆された傾斜面１３１と、基材２０が被覆層３０によって被覆されておらず、基材２０が露出した垂直面１３２とを生じさせる。続いて、基材２０の他方の主面上に、粘着層４０を形成する。以上のようにして、表示体１０を得る。
【００４７】
図４は、本発明の態様の他の例に係る表示体を概略的に示す平面図である。図５は、図４に示す表示体のＶ−Ｖ線に沿った断面図である。なお、このＶ−Ｖ線は、図４に示すＸ方向と平行である。
【００４８】
図４及び図５に示す表示体１０は、凹凸領域１２０に傾斜方向が互いに異なる２種類の溝１３０Ａ及び１３０Ｂが設けられており、凹凸領域１２０が２種類の領域、即ち第１凹凸領域１２０Ａ及び第２凹凸領域１２０Ｂからなること以外は、図１及び図２に示す表示体１０と同様の構成を有している。溝１３０Ａは、傾斜面１３１Ａと垂直面１３２Ａとを備え、溝１３０Ｂは、傾斜面１３１Ｂと垂直面１３２Ｂとを備えている。ここでは、一例として、傾斜面１３１Ａ及び１３１Ｂの傾斜方向が図４及び図５に示すＺ軸に対する回転対称の関係にあり、傾斜面１３１Ａ及び１３１Ｂの傾斜角が共に４５゜である場合について説明する。
【００４９】
図６は、観察角度の変化に伴って図４及び図５に示す表示体１０の各領域が生じる色変化の一例を示す概略図である。
【００５０】
図６Ａは、表示体１０を平坦面１１１の正面方向、即ち垂直面１３２Ａ及び１３２Ｂに平行な方向（図５に示す観察方向５Ａ）から観察した場合に、表示体１０が呈する色の一例を示している。この場合、第１凹凸領域１２０Ａ及び第２凹凸領域１２０Ｂのうち、被覆層３０からなる傾斜面１３１Ａ及び１３１Ｂは視認可能であるが、垂直面１３２Ａ及び１３２Ｂは視認不可能又は困難である。
【００５１】
このとき、平坦領域１１０は、被覆層３０の色（例えば、青色）を呈する。また、第１凹凸領域１２０Ａ及び第２凹凸領域１２０Ｂも、被覆層３０の色（例えば、青色）を呈する。したがって、図６Ａに例示するように、平坦領域１１０、第１凹凸領域１２０Ａ及び第２凹凸領域１２０Ｂは、同一の色を呈する。すなわち、表示体１０を正面から観察しただけでは、表示体１０が複数の領域からなることは視認されない。
【００５２】
図６Ｂは、表示体１０を傾斜面１３１Ａの正面方向（図５に示す観察方向５Ｂ）から観察した場合に、表示体１０が呈する色の一例を示している。この場合、第１凹凸領域１２０Ａのうち、被覆層３０からなる傾斜面１３１Ａは視認可能であるが、垂直面１３２Ａは視認不可能又は困難である。また、第２凹凸領域１２０Ｂのうち、基材２０からなる垂直面１３２Ｂは視認可能であるが、傾斜面１３１Ｂは視認不可能又は困難である。
【００５３】
このとき、平坦領域１１０は、被覆層３０の色（例えば、青色）を呈する。第１凹凸領域１２０Ａは、被覆層３０の色（例えば、青色）を呈する。また、第２凹凸領域１２０Ｂは、基材２０又は光吸収層、光反射層若しくは光散乱層の色（例えば、白色又は黒色）を呈する。したがって、図６Ｂに例示するように、平坦領域１１０及び第１凹凸領域１２０Ａと第２凹凸領域１２０Ｂとは、互いに異なる色を呈する。この場合には、平坦領域１１０及び第１凹凸領域１２０Ａと第２凹凸領域１２０Ｂとは異なる色を呈するため、表示体１０が複数の領域からなることが視認される。
【００５４】
図６Ｃは、表示体１０を傾斜面１３１Ｂの正面方向（図５に示す観察方向５Ｃ）から観察した場合に、表示体１０が呈する色の一例を示している。この場合、第１凹凸領域１２０Ａのうち、基材２０からなる垂直面１３２Ａは視認可能であるが、傾斜面１３１Ａは視認不可能又は困難である。また、第２凹凸領域１２０Ｂのうち、被覆層３０からなる傾斜面１３１Ｂは視認可能であるが、垂直面１３２Ｂは視認不可能又は困難である。
【００５５】
このとき、平坦領域１１０は、被覆層３０の色（例えば、青色）を呈する。第１凹凸領域１２０Ａは、基材２０又は光吸収層、光反射層若しくは光散乱層の色（例えば、白色又は黒色）を呈する。また、第２凹凸領域１２０Ｂは、被覆層３０の色（例えば、青色）を呈する。したがって、図６Ｃに例示するように、第１凹凸領域１２０Ａと第２凹凸領域１２０Ｂとは、図６Ｂに示す場合とは互いに反転した色を呈する。この場合にも、平坦領域１１０及び第１凹凸領域１２０Ａと第２凹凸領域１２０Ｂとは異なる色を呈するため、表示体１０が複数の領域からなることが視認される。
【００５６】
なお、凹凸領域１２０Ａ及び１２０Ｂは、溝１３０の傾斜角、長さ方向又は配列方向が異なっていてもよい。また、凹凸領域１２０は、溝１３０の傾斜角、傾斜方向、長さ方向又は配列方向等が異なる他の領域を更に含んでいてもよい。この場合、表示体１０は、更に複雑な視覚効果を呈する。
【００５７】
この表示体１０は、エンボス処理の工程以外は、図１及び図２に示す表示体１０について説明したのと同様の方法で製造することができる。このエンボス処理は、例えば、図５に示す複数の溝１３０Ａ及び１３０Ｂに対応した凸部が設けられたエンボス板を用いて行うことができる。
【００５８】
図７は、図１乃至図６を参照しながら説明した表示体を含んだラベル付き物品の一例を概略的に示す平面図である。このラベル付き物品２００は、物品２０１と表示体１０とを含んでいる。
【００５９】
物品２０１は、真正さが確認されるべき物品である。物品２０１は、例えば、キャッシュカード、クレジットカード及びパスポートなどの認証媒体又は商品券及び株券などの有価証券媒体である。物品２０１は、認証媒体及び有価証券媒体以外の物品でもよい。例えば、物品２０１は、工芸品又は美術品であってもよい。或いは、物品２０１は、包装体とこれに収容された内容物とを含んだ包装品であってもよい。
【００６０】
表示体１０は、物品２０１に支持されている。例えば、表示体１０は、物品２０１に貼り付けられる。
【００６１】
表示体１０は、他の方法で物品２０１に支持させてもよい。
【００６２】
例えば、物品２０１が紙を含んでいる場合、この紙の中に表示体１０を埋め込んでもよい。この場合、ラベル付き物品２００は、例えば、抄紙の際に繊維の層の間に表示体１０を挟みこみ、その後、必要に応じて紙面への印刷等を行うことにより得られる。なお、表示体１０の視認性を向上させるべく、紙のうち表示体１０の前面を被覆している部分には開口を設けてもよい。また、紙に埋め込む表示体１０の形状に特に制限はない。例えば、スレッド状の表示体１０を紙に埋め込んでもよい。
【００６３】
表示体１０を含んだタグを物品２０１に取り付けることにより、表示体１０を物品２０１に支持させてもよい。物品２０１へのタグの付け替えが一般ユーザにとって困難であれば、表示体１０は、物品２０１の真正さを確認するのに十分に役立つ。
【００６４】
また、表示体１０について説明した上記の技術は、転写箔又は転写シート等にも適用することができる。
【００６５】
表示体１０は、偽造防止以外の目的で使用してもよい。例えば、表示体１０は、玩具、学習教材又は装飾品等としても利用することができる。
【実施例】
【００６６】
以下、本発明の実施例を説明するが、本発明はそれらに限定されるものではない。
【００６７】
（例１）
粘着層４０を形成せず、光反射層を基材２０の被覆層３０が形成された主面とは反対側の主面上に形成したこと以外は、図１及び図２を参照しながら説明したのと同様の表示体を製造した。
【００６８】
まず、厚さ５０μｍのＰＥＴフィルムの一方の主面に、アルミニウムを蒸着した。このようにして、光反射層を形成した。
【００６９】
次に、ＰＥＴフィルムの他方の主面に、光吸収性インキ ＳＳ ＮＳＡ ３９１藍（東洋インキ製造社製）をスクリーン印刷した。このようにして、被覆層を形成した。
【００７０】
続いて、被覆層に、図２に示す複数の溝に対応した凸部が設けられたエンボス板を押し当てた。これにより、傾斜面の傾斜角θが約４５゜、垂直面の高さが約２５μｍの複数の溝を形成すると共に、被覆層を破断させた。
【００７１】
以上のようにして、表示体を得た。以下、この表示体を、「表示体Ａ」と呼ぶ。
【００７２】
表示体Ａは、その観察方向に応じて、以下の表１のような色の変化を生じた。なお、観察方向２Ａ乃至２Ｃは、図２及び図３について説明したのと同様の方向を意味する。
【表１】
0005151350.tif 000002
【００７３】
（例２）
粘着層４０を形成しなかったこと以外は、図４及び図５を参照しながら説明したのと同様の表示体を製造した。
【００７４】
まず、アートコートタック紙の一方の主面に、ＳＳ ＮＳＡ ３９１藍（東洋インキ製造社製）をスクリーン印刷した。このようにして、被覆層を形成した。
【００７５】
次に、被覆層に、図５に示す複数の溝に対応した凸部が設けられたエンボス板を押し当てた。これにより、垂直面の高さが約２５μｍの複数の溝を形成すると共に、被覆層を破断させた。
【００７６】
以上のようにして、表示体を得た。以下、この表示体を、「表示体Ｂ」と呼ぶ。
【００７７】
表示体Ｂは、その観察方向に応じて、以下の表２に示すような色の変化を生じた。なお、観察方向５Ａ乃至５Ｃは、図５及び図６について説明したのと同様の方向を意味する。
【表２】
0005151350.tif 000003
［１］一主面に複数の凹部が設けられた基材と、前記複数の凹部の各々の壁面を部分的に被覆した不透明又は有色透明な被覆層とを備え、前記主面を第１方向から観察した場合には、前記被覆層のうち前記壁面を被覆している部分は、前記複数の凹部の壁面のうち前記被覆層で被覆されていない部分と比較して視認が容易であり、前記主面を前記第１方向とは異なる第２方向から観察した場合には、前記複数の凹部の壁面のうち前記被覆層で被覆されていない部分は、前記被覆層のうち前記壁面を被覆している部分と比較して視認が容易であることを特徴とする表示体。
［２］基材の一主面上に不透明又は有色透明な被覆層を形成し、次いで、エンボス加工を施すことにより前記主面に複数の凹部を設けると共にそれら凹部の位置で前記被覆層を破断させることにより得られる構造を備えたことを特徴とする表示体。
［３］前記被覆層は光吸収層であることを特徴とする項１又は２に記載の表示体。
［４］前記被覆層は光反射層であることを特徴とする項１又は２に記載の表示体。
［５］前記被覆層は光散乱層であることを特徴とする項１又は２に記載の表示体。
［６］前記基材は透明であり、前記基材の前記被覆層が形成された主面とは反対側の主面上に前記被覆層とは色相、明度及び／又は彩度が異なる光吸収層を更に備えたことを特徴とする項１乃至５の何れか１項に記載の表示体。
［７］前記基材は透明であり、前記基材の前記被覆層が形成された主面とは反対側の主面上に前記被覆層とは色相、明度及び／又は彩度が異なる光反射層を更に備えたことを特徴とする項１乃至５の何れか１項に記載の表示体。
［８］前記基材は透明であり、前記基材の前記被覆層が形成された主面とは反対側の主面上に前記被覆層とは色相、明度及び／又は彩度が異なる光散乱層を更に備えたことを特徴とする項１乃至５の何れか１項に記載の表示体。
［９］前記基材に対して前記被覆層とは反対側に最表層としての粘着層を更に備えたことを特徴とする項１乃至８の何れか１項に記載の表示体。
［１０］前記被覆層を被覆する最表層としての保護層を更に備えたことを特徴とする項１乃至９の何れか１項に記載の表示体。
［１１］項１乃至１０の何れか１項に記載の表示体とこれを支持した物品とを具備したことを特徴とするラベル付き物品。
【図面の簡単な説明】
【００７８】
【図１】本発明の態様の一例に係る表示体を概略的に示す平面図。
【図２】図１に示す表示体のＩＩ−ＩＩ線に沿った断面図。
【図３】図１及び図２に示す表示体の観察方向による色変化の一例を示す概略図。
【図４】本発明の態様の他の例に係る表示体を概略的に示す平面図。
【図５】図４に示す表示体のＶ−Ｖ線に沿った断面図。
【図６】図４及び図５に示す表示体の観察方向による色変化の一例を示す概略図。
【図７】本発明の態様に係る表示体が支持されたラベル付き物品の一例を概略的に示す平面図。
【符号の説明】
【００７９】
２Ａ，２Ｂ，２Ｃ，５Ａ，５Ｂ，５Ｃ…観察方向、１０…表示体、２０…基材、３０…被覆層、４０…粘着層、１１０…平坦領域、１１１…平坦面、１２０…凹凸領域、１３０，１３０Ａ，１３０Ｂ…溝、１３１，１３１Ａ，１３１Ｂ…傾斜面、１３２，１３２Ａ，１３２Ｂ…垂直面、２００…ラベル付き物品、２０１…物品。
【図１】
0005151350.tif 000004
【図２】
0005151350.tif 000005
【図３】
0005151350.tif 000006
【図４】
0005151350.tif 000007
【図５】
0005151350.tif 000008
【図６】
0005151350.tif 000009
【図７】
0005151350.tif 000010